(57)【特許請求の範囲】
【請求項１】
開裂させて輪ゴムを取り出すための取出口を形成するミシン目（８）からなる開裂線が紙製の包装箱本体（１）の上面に円形の軌道を描いて形成された輪ゴム用包装箱において、前記開裂線が不用意に開裂するのを防止すべく該開裂線を被覆する紙製の開裂線被覆体（９）が設けられ、且つ該開裂線被覆体（９）は、前記開裂線を被覆すべく包装箱本体（１）の上面に非接着状態で設置される上面設置部（１０）と、該上面設置部（１０）から包装箱本体（１）の両側面側に延出されて該包装箱本体（１）のそれぞれの側面に接着される一対の側面接着部（１１ａ），（１１ｂ）とで構成されており、開裂線被覆体（９）の上面設置部（１０）と側面接着部（１１ａ），（１１ｂ）との境界線部に、上面設置部（１０）を側面接着部（１１ａ），（１１ｂ）から剥離するための剥離用開裂線が形成され、しかも前記一方の側面接着部（１１ａ）は他方の側面接着部（１１ｂ）より長く形成され、一方の側面接着部（１１ａ）側から他方の側面接着部（１１ｂ）側に横架する上面設置部（１０）の側縁（１０ａ）の前記他方の側面接着部（１１ｂ）側に、曲線状の開裂起点部（１２）が形成されていることを特徴とする輪ゴム用包装箱。
【発明の詳細な説明】
【０００１】
【発明の属する技術分野】
本発明は輪ゴム用包装箱、さらに詳しくは、多数の輪ゴムが収容され、包装箱本体の上面に形成されたミシン目等の開裂線を開裂させて取出口を形成し、その取出口から輪ゴムを取り出すことができるように構成された輪ゴム用包装箱に関する。
【０００２】
【従来の技術】
従来の輪ゴム用包装箱は、図９に示すように、包装箱本体1bの上面に円形の軌道を描いてミシン目8b等の開裂線が形成され、そのミシン目8bを図10のように開裂させて輪ゴムを取り出すための取出口15を形成し、その取出口15から必要に応じて輪ゴムを１つずつ取り出すことができるように構成されている。
【０００３】
このような輪ゴム用包装箱は、上記ミシン目8bで包囲された包装箱本体1bの上面を指等で押圧するだけで、ミシン目8bを開裂させて輪ゴムの取出口15を形成することができるため、その取出口15を形成する作業を非常に容易に行うことができる。
【０００４】
従って、上記のようなミシン目8bを包装箱本体の上面に形成しただけの簡易な構造でありながら、作業性、利便性に優れたものであるために、このような輪ゴム用包装箱の形態も従来より定型化されたものとして長年にわたって使用されている。
【０００５】
【発明が解決しようとする課題】
しかし、上記のように簡易な操作でミシン目8bを開裂させて取出口15を形成することができるため、輪ゴム用包装箱が店頭等で陳列されているときに、悪戯等で不正にミシン目8bを開裂されることがあった。また、収容物である輪ゴムはミシン目8bを開裂させない限り包装箱本体1bの外側から視認することができないため、来店した消費者が商品確認のため（輪ゴムを見るため）、ミシン目8bを開裂させるようなこともなされていた。
【０００６】
いずれにしても、このようにミシン目が一旦開裂されていまうと修復は不可能であるため、消費者が輪ゴム用包装箱を購入する以前に上記のような不正なミシン目の開裂がなされると、輪ゴム用包装箱の商品価値が全くなくなることになる。
【０００７】
このため、たとえば輪ゴム用包装箱をシュリンク包装等で包装するようなこともなされているが、逆にコストが増大することとなり、またシュリンク包装のための合成樹脂製フィルムと、箱を構成する紙との異材質のものを廃棄処理しなければならないため、近年のリサイクルの要請から分別回収が必要となり、その分廃棄処理が煩雑になるという問題点があった。
【０００８】
本発明は、上述のような問題点を解決するためになされたもので、消費者が購入する前に店頭等で陳列されている状態において、包装箱本体の上面に形成されたミシン目等の開裂線が不正に開裂されて切取口が開口されるのを防止でき、しかも簡単な構造で製造コストを増大させることがなく、廃棄処理も従来と同様に容易に行うことができる輪ゴム用包装箱を提供することを課題とする。
【０００９】
【課題を解決するための手段】
本発明は、このような課題を解決せんとしてなされたもので、その課題を解決するための手段は、開裂させて輪ゴムを取り出すための取出口を形成する開裂線が紙製の包装箱本体１の上面に円形の軌道を描いて形成された輪ゴム用包装箱において、前記開裂線が不用意に開裂するのを防止すべく該開裂線を被覆する紙製の開裂線被覆体９が設けられていることである。
【００１０】
開裂線としては、ミシン目８からなるものが用いられる。
【００１１】
また開裂線被覆体９としては、開裂線を被覆すべく包装箱本体１の上面に非接着状態で設置される上面設置部１０と、上面設置部１０から包装箱本体１の両側面側に延出されて該包装箱本体１のそれぞれの側面に接着される１対の側面接着部１１ａ，１１ｂとで構成されたものが用いられる。
【００１２】
開裂線被覆体９の上面設置部１０と側面接着部１１ａ，１１ｂとの境界線部には、上面設置部１０を側面接着部１１ａ，１１ｂから剥離するためのミシン目１３等の剥離用開裂線が形成される。
【００１３】
さらに、一方の側面接着部１１ａは他方の側面接着部１１ｂより長く形成され、一方の側面接着部１１ａ側から他方の側面接着部１１ｂ側に横架する上面設置部１０の側縁１０ａの前記他方の側面接着部１１ｂ側に、曲線状の開裂起点部１２が形成される。
【００１４】
【発明の実施の形態】
以下、本発明の実施形態について図面に従って説明する。
【００１５】
図１乃至図６において、１は、輪ゴム用包装箱の包装箱本体で、紙製のものであり、全体が略直方体状に形成されている。
この包装箱本体１は、一般の箱と同じ形態のもので、上面部２と、該上面部２に連設された１対の長手方向の側面部３，３と、１対の短手方向の側面部４，４と、底面部５とで構成されている。
【００１６】
一般の箱と同様に、長手方向の側面部３，３の両側縁には、図４に示すように該側面部３，３に対して直角に折り曲げられた当片６，６が連設され、短手方向の側面部４，４の下縁には、図５に示すように該側面部４，４に対して直角に折り曲げられた差込片７，７が連設されている。そして、差込片７，７が前記当片６，６と前記底面部５との間に差し込まれ、その差込片７，７を抜き取って短手方向の側面部４，４を持ち上げることによって、該短手方向の側面部４，４が開口できるように構成されている点も一般の箱と同じである。
【００１７】
包装箱本体１の上面の所定位置（図８における包装箱本体１の上面左側）には、図８に示すように開裂線としてのミシン目８が、円形の軌道を描いて形成されている。
【００１８】
９は、前記ミシン目８が不用意に開裂するのを防止すべく、該ミシン目８の部分を被覆するための紙製の開裂線被覆体で、この開裂線被覆体９は、前記ミシン目８を被覆すべく前記包装箱本体１の上面に非接着状態で設置される上面設置部10と、該上面設置部10から前記包装箱本体１の両側面側に延出されて該包装箱本体１のそれぞれの側面に接着される１対の側面接着部11a,11b とで構成されている。
【００１９】
一方の側面接着部11a は他方の側面接着部11b より長く形成され、該一方の側面接着部11a 側から他方の側面接着部11b 側に横架する上面設置部10の側縁10a の前記他方の側面接着部11b 側に、曲線状の開裂起点部12が形成されている。
そして、この開裂起点部12には、図１に示すように「ＯＰＥＮ」の表示がなされている。
【００２０】
開裂線被覆体９の上面設置部10と側面接着部11a,11b との境界線部には、上面設置部10を側面接着部11a,11b から剥離するためのミシン目13が形成されている。
【００２１】
開裂線被覆体９の上面設置部10は、ミシン目８を被覆すべく前記包装箱本体１の上面に非接着状態で設置されており、開裂線被覆体９の１対の側面接着部11a,11bは、包装箱本体１のそれぞれの側面に接着剤を介して接着されている。
【００２２】
そして、上記のような構成からなる輪ゴム用包装箱14は、一般の輪ゴム用包装箱と同様に、図７に示すように包装箱本体１内に多数の輪ゴム16が収容されて、商品として店頭等に陳列されて販売される。
【００２３】
このような輪ゴム用包装箱14が店頭等に陳列された状態において、包装箱本体１には、上述のような開裂線被覆体９が設けられて、包装体本体１の上面に形成されたミシン目８は上記開裂線被覆体９によって好適に被覆されているため、そのミシン目８で包囲された部分が指等で押圧されて、ミシン目８が不用意に開裂されることもない。
【００２４】
従って、この輪ゴム用包装箱14を消費者が購入する前において、ミシン目８で包囲された部分が開口して商品価値を損なうこともないのである。
【００２５】
一方、消費者がこのような輪ゴム用包装箱14を購入した後に使用する場合には、「ＯＰＥＮ」で表示された開裂線被覆体９の開裂起点部12を把持し、開裂線被覆体９を持ち上げることによって、その持ち上げ力が開裂線被覆体９の上面設置部10に作用する。
【００２６】
この場合において、開裂線被覆体９の上面設置部10は上記のように包装箱本体１の上面に非接着状態で設置されている一方で、開裂線被覆体９の１対の側面接着部11a,11b は、包装箱本体１のそれぞれの側面に接着剤を介して接着されているため、強制的な持ち上げ力が上述のように上面設置部10に作用すると、上面設置部10と側面接着部11a,11b との境界線部に形成されたミシン目13が破断され、図８に示すように上面設置部10が包装箱本体１から剥離されるとともに、接着剤を介して接着されている側面接着部11a,11b は、同図のように包装箱本体１に残存することとなる。
【００２７】
このように開裂線被覆体９の側面接着部11a,11b が包装箱本体１に固着されているので、上面設置部10のみを剥離する作業を安定した状態で容易に行うことができるのである。
【００２８】
そして、上面設置部10が包装箱本体１から剥離されると、図８に示すようにミシン目８が裸出することとなるため、輪ゴム用包装箱14を購入した使用者は、従来と同様にミシン目８で包囲された包装箱本体１の上面を指等で押圧するだけで、ミシン目８を開裂させて輪ゴムの取出口15（図10に示すようなもの）を形成することができ、その取出口15から輪ゴム16を取り出すことが可能となるのである。
【００３２】
さらに、上記実施形態では、開裂線被覆体９が、包装箱本体１の上面に非接着状態で設置される上面設置部10と、該上面設置部10から包装箱本体１の両側面側に延出されて該包装箱本体１のそれぞれの側面に接着される１対の側面接着部11a, 11bとで構成され、その側面接着部11a, 11bが接着剤を介して包装箱本体１の側面に接着されることによって開裂線被覆体９が固定されていたが、開裂線被覆体９を固定する手段はこのような接着手段に限定されるものではなく、たとえば包装箱本体１に１対の切込を形成し、その切込に開裂線被覆体９の１対の側面部を差し込むとともに、開裂線被覆体９の上面部を包装箱本体１に設置することによってミシン目８を被覆することも可能である。
【００３３】
この場合には、上記実施形態のように上面設置部10のみを剥離するためのミシン目13のようなものを形成しなくとも、差し込まれた開裂線被覆体９の側面部を切込から抜き取ることによって、被覆されていた包装箱本体１のミシン目８を容易に裸出させるとができる。
【００３８】
同様の趣旨から、開裂線被覆体９の上面設置部10と側面接着部11a,11b との境界線部に形成される剥離用開裂線の種類も、該実施形態のミシン目13に限定されるものではない。
【００３９】
さらに、上記実施形態では、包装箱本体１が略直方体状に形成されていたが、包装箱本体１の形状も該実施形態に限定されるものではなく、その形状は問わない。
【００４０】
【発明の効果】
以上のように、本発明は、開裂させて輪ゴムを取り出すための取出口を形成する開裂線が紙製の包装箱本体の上面に設けられた輪ゴム用包装箱において、前記開裂線が不用意に開裂するのを防止すべく該開裂線を被覆する紙製の開裂線被覆体を設けたものであるため、少なくとも消費者が輪ゴム用包装箱を購入する前の段階における店頭等での陳列時においては、指等で押圧して包装箱本体の上面の開烈線を簡単に開烈されるようなことが防止され、従って店頭等での陳列時に開烈線が不正に開烈されて切取口が開口されるのを好適に防止できるという効果がある。
【００４１】
しかも包装箱本体と開裂線被覆体との双方がともに紙製のものであるため、シュリンク包装されていた従来のもののように異材質に伴う分別回収が必要となることもなく、その廃棄処理も紙箱のみからなる従来のものと同様に容易に行うことができる。
【００４２】
さらに、開裂線被覆体が、開裂線を被覆すべく包装箱本体の上面に非接着状態で設置される上面設置部と、該上面設置部から包装箱本体の両側面側に延出されて該包装箱本体のそれぞれの側面に接着される一対の側面接着部とで構成され、開裂線被覆体の側面接着部が包装箱本体に固着されているので、上面設置部のみを剥離して開裂線を裸出させる作業を安定した状態で容易に行うことができるという効果がある。
【００４３】
また、開裂線被覆体がこのような構造のものであるので、一般に円形に形成されるミシン目等の開裂線を覆う程度の寸法に上面設置部等を設定することができ、開裂線被覆体を構成する紙の材料も少なくてすみ、製造コストも極力低減させることができるという効果がある。また開裂線被覆体の構造も簡易化されるという利点がある。
【００４４】
さらに、開裂線被覆体の一方の側面接着部が他方の側面接着部より長く形成され、一方の側面接着部側から他方の側面接着部側に横架する上面設置部の側縁の前記他方の側面接着部側に、曲線状の開裂起点部が形成されているため、その開裂起点部を起点として上面設置部の剥離作業を容易に行うことができるという効果がある。また開裂起点部が曲線状であるので、指等を不用意に傷つけたり開裂起点部が不用意に折れ曲がったりするおそれもない。
【図面の簡単な説明】
【図１】一実施形態の輪ゴム用包装箱の平面図。
【図２】同長手方向の側面図。
【図３】同長手方向の側面図。
【図４】同短手方向の側面図。
【図５】図１のＡ−Ａ線断面図。
【図６】図１のＢ−Ｂ線断面図。
【図７】輪ゴムを収容した状態の断面図。
【図８】開裂線被覆体の上面設置部を剥離した状態の平面図。
【図９】従来の輪ゴム用包装箱の平面図。
【図１０】従来の輪ゴム用包装箱の開裂線を開裂した状態の平面図。
【符号の説明】
１…包装箱本体      ８…ミシン目
９…開裂線被覆体    10…上面設置部
11a,11b …側面接着部
12…開裂起点部
13…ミシン目
【図１】
0003668717.tif 000002
【図２】
0003668717.tif 000003
【図３】
0003668717.tif 000004
【図４】
0003668717.tif 000005
【図５】
0003668717.tif 000006
【図６】
0003668717.tif 000007
【図７】
0003668717.tif 000008
【図８】
0003668717.tif 000009
【図９】
0003668717.tif 000010
【図１０】
0003668717.tif 000011